(57)【要約】【課題】より密閉性の高い表皮一体発泡成形が可能なスピーカー付きヘッドレストおよび車両用シートを提供することである。【解決手段】ヘッドレストは、（ａ）ヘッドレストフレームと、（ｂ）前記ヘッドレストフレームに支持され、スピーカーボックスと前記スピーカーボックスに取り付けられるスピーカーと前記スピーカーボックスに取り付けられるメガフォン状の筒とを有するスピーカーユニットと、（ｃ）クッション材と、（ｄ）開口を有し袋状に縫製され、前記ヘッドレストフレームと前記スピーカーユニットと前記クッション材とを覆う表皮材と、（ｅ）前記表皮材の前記開口側の端部の全体を前記メガフォン状の筒と挟んで固定するリング状の部材と、を備える。【選択図】図４
2019108118.tif 000002
【特許請求の範囲】
【請求項１】
以下を含むヘッドレスト：
（ａ）ヘッドレストフレーム；
（ｂ）前記ヘッドレストフレームに支持され、スピーカーボックスと前記スピーカーボックスに取り付けられるスピーカーと前記スピーカーボックスに取り付けられるメガフォン状の筒とを有するスピーカーユニット；
（ｃ）クッション材；
（ｄ）開口を有し袋状に縫製され、前記ヘッドレストフレームと前記スピーカーユニットと前記クッション材とを覆う表皮材；
（ｅ）前記表皮材の前記開口側の端部の全体を前記メガフォン状の筒と挟んで固定するリング状の部材。
【請求項２】
請求項１のヘッドレストにおいて、
前記メガフォン状の筒は前記スピーカーと反対側の端部にフランジ部を有し、
前記リング状の部材は、前記メガフォン状の筒の内側に挿入されて当接する筒部と、前記メガフォン状の筒のフランジ部と当接するフランジ部と、を有し、
前記表皮材の前記端部は前記メガフォン状の筒のフランジ部と前記リング状の部材のフランジ部とにより挟んで固定される。
【請求項３】
請求項２のヘッドレストにおいて、
前記スピーカーと前記メガフォン状の筒とは前記スピーカーボックスに共締めされる。
【請求項４】
請求項３のヘッドレストにおいて、
前記メガフォン状の筒の先端の開口は、前記スピーカーボックスの開口よりも大きい。
【請求項５】
請求項４のヘッドレストにおいて、
さらに、前記リング状の部材に取り付けられ、前記スピーカーユニットの開口部をカバーするスピーカーグリルを備える。
【請求項６】
請求項１のヘッドレストにおいて、
前記ヘッドレストフレームは、シートバックの取付部に挿入するヘッドレストステーと、前記スピーカーボックスの前面を固定する第一ブラケットと、前記スピーカーボックスの底面を固定する第二ブラケットと、前記スピーカーボックスを係合する補助ワイヤと、を有し、
前記ヘッドレストステーは、前記第一ブラケットと前記補助ワイヤを固着する縦フレーム部と、前記第二ブラケットを固着する横フレーム部と、を有する。
【請求項７】
請求項２のヘッドレストにおいて、
前記メガフォン状の筒のフランジ部は係合部を有し、
前記リング状の部材のフランジ部は、前記メガフォン状の筒のフランジ部の係合部と係合する係合部を有する。
【請求項８】
以下を含むヘッドレストの製造方法：
（ａ）ヘッドレストフレームと、開口を有し、袋状に縫製された表皮材と、スピーカーボックスと前記スピーカーボックスに取り付けられるスピーカーと前記スピーカーボックスに取り付けられるメガフォン状の筒とを有するスピーカーユニットと、を準備する工程；
（ｂ）前記ヘッドレストフレームに前記スピーカーユニットを固定する工程；
（ｃ）前記表皮材の袋の中に前記ヘッドレストフレームに固定されたスピーカーユニットを挿入する工程；
（ｄ）前記表皮材の前記開口側の端部の全体を前記メガフォン状の筒とリング状の部材とで挟んで固定する工程；
（ｅ）前記表皮材の袋の中に発泡原料を注入しクッション材を形成する工程。
【請求項９】
請求項８のヘッドレストの製造方法において、
前記（ａ）工程は、前記スピーカーと前記メガフォン状の筒とを前記スピーカーボックスに共締する工程を含む。
【請求項１０】
請求項９のヘッドレストの製造方法において、さらに、
（ｆ）前記（ｅ）工程の後、前記リング状の部材にスピーカーグリルを装着する工程を含む。
【請求項１１】
以下を含む車両用シート：
（ａ）ヘッドレスト；
（ｂ）前記ヘッドレストを支持するヘッドレストホルダを有するシートバック；
（ｃ）前記シートバックに連結されるシートクッション；
ここで、前記ヘッドレストは以下を含む；
（ａ１）ヘッドレストフレーム；
（ａ２）前記ヘッドレストフレームに支持され、スピーカーボックスと前記スピーカーボックスに取り付けられるスピーカーと前記スピーカーボックスに取り付けられるメガフォン状の筒とを有するスピーカーユニット；
（ａ３）クッション材；
（ａ４）前記ヘッドレストフレームと前記スピーカーユニットと前記クッション材とを覆い、着座者の後頭部が当接する表皮材；
（ａ５）前記表皮材を前記メガフォン状の筒と挟んで固定するリング状の部材。
【請求項１２】
請求項１１の車両用シートにおいて、
前記表皮材は開口を有し、袋状に縫製され、
前記表皮材の前記開口側の端部の全体は前記メガフォン状の筒と前記リング状の部材と挟んで固定されている。
【請求項１３】
請求項１２の車両用シートにおいて、
前記メガフォン状の筒は前記スピーカーと反対側の端部にフランジ部を有し、
前記リング状の部材は、前記メガフォン状の筒の内側に挿入されて当接する筒部と、前記メガフォン状の筒のフランジ部と当接するフランジ部と、を有し、
前記表皮材の前記端部は前記メガフォン状の筒のフランジ部と前記リング状の部材のフランジ部とにより挟んで固定される。
【請求項１４】
請求項１３の車両用シートにおいて、
前記スピーカーと前記メガフォン状の筒とは前記スピーカーボックスに共締めされる。
【請求項１５】
請求項１４の車両用シートにおいて、
前記メガフォン状の筒の先端の開口は、前記スピーカーボックスの開口よりも大きい。
【請求項１６】
請求項１５の車両用シートにおいて、
さらに、前記リング状の部材に取り付けられ、前記スピーカーユニットの開口部をカバーするスピーカーグリルを備える。
【請求項１７】
請求項１２の車両用シートにおいて、
前記ヘッドレストフレームは、前記ヘッドレストホルダに挿入するヘッドレストステーと、前記スピーカーボックスの前面を固定する第一ブラケットと、前記スピーカーボックスの底面を固定する第二ブラケットと、前記スピーカーボックスを係合する補助ワイヤと、を有し、
前記ヘッドレストステーは、前記第一ブラケットと前記補助ワイヤを固着する縦フレーム部と、前記第二ブラケットを固着する横フレーム部と、を有する。
【請求項１８】
請求項１２の車両用シートにおいて、
前記メガフォン状の筒のフランジ部は係合部を有し、
前記リング状の部材のフランジ部は、前記メガフォン状の筒のフランジ部の係合部と係合する係合部を有する。
【発明の詳細な説明】
【技術分野】
【０００１】
本開示はヘッドレストに関し、例えばスピーカー付きヘッドレストに適用可能である。
【背景技術】
【０００２】
車両用シートのヘッドレストやアームレスト等は表皮一体発泡成形で製造される。表皮一体発泡成形とは、発泡と被せの２つの工程を組み合わせた単一工程で、縫製済みのトリムカバー（表皮材）とフレーム構成部品とをセットした金型内の中へウレタンの原料等の発泡原料を直接注入し、発泡させて成形するものである（例えば、ＵＳ２０１５／０２９８３７１（特許文献１））。
【０００３】
表皮一体発泡成形で製造されるスピーカー付きヘッドレストとしては、例えば、ＷＯ２０１６／１２９６６３（特許文献２）に開示がある。
【先行技術文献】
【特許文献】
【０００４】
【特許文献１】ＵＳ２０１５／０２９８３７１
【特許文献２】ＷＯ２０１６／１２９６６３
【発明の概要】
【発明が解決しようとする課題】
【０００５】
しかし、特許文献２では、スピーカーからの音を出すために表皮材に開口部を有するが、表皮材の開口部の端部は固定されておらず、表皮一体発泡形成時に側部支持部材の孔部に発泡原料が漏れ出す虞がある。
【０００６】
本開示の課題は、より密閉性の高い表皮一体発泡成形が可能なスピーカー付きヘッドレストおよび車両用シートを提供することである。
その他の課題と新規な特徴は、本開示の記述および添付図面から明らかになるであろう。
【０００７】
本開示のうち、代表的なものの概要を簡単に説明すれば、下記のとおりである。
【課題を解決するための手段】
【０００８】
すなわち、ヘッドレストは、（ａ）ヘッドレストフレームと、（ｂ）前記ヘッドレストフレームに支持され、スピーカーボックスと前記スピーカーボックスに取り付けられるスピーカーと前記スピーカーボックスに取り付けられるメガフォン状の筒とを有するスピーカーユニットと、（ｃ）クッション材と、（ｄ）開口を有し袋状に縫製され、前記ヘッドレストフレームと前記スピーカーユニットと前記クッション材とを覆う表皮材と、（ｅ）前記表皮材の前記開口側の端部の全体を前記メガフォン状の筒と挟んで固定するリング状の部材と、を備える。
【図面の簡単な説明】
【０００９】
【図１】図１は実施形態に係る車両用シートの斜視図である。
【図２】図２は図１のヘッドレストの取付けを説明する概略部分正面図である。
【図３】図３は図１のヘッドレストの外観を説明する斜視図である。
【図４】図４は図３のヘッドレストの内部構造を説明する断面図である。
【図５】図５は図４のヘッドレストフレームを説明する斜視図である。
【図６】図６は図５のヘッドレストフレームを説明する分解斜視図である。
【図７】図７は図４のスピーカーユニットを説明する斜視図である。
【図８】図８は図７のスピーカーユニットを説明する分解斜視図である。
【図９】図９は図４のカバー部を説明する斜視図である。
【図１０】図１０は図３のスピーカーグリルを説明する斜視図である。
【図１１】図１１は図１０のスピーカーグリルを説明する分解斜視図である。
【図１２】図１２は図３のヘッドレストの製造方法を説明する斜視図である。
【図１３】図１３は図３のヘッドレストの製造方法を説明するフローチャートである。
【発明を実施するための形態】
【００１０】
以下、実施形態について、図面を用いて説明する。ただし、以下の説明において、同一構成要素には同一符号を付し繰り返しの説明を省略することがある。なお、図面は説明をより明確にするため、実際の態様に比べ、各部の幅、厚さ、形状等について模式的に表される場合があるが、あくまで一例であって、本発明の解釈を限定するものではない。
【００１１】
図１は実施形態に係る車両用シートの斜視図である。図２は図１のヘッドレストの取付けを説明する図であり、ヘッドレストの設けられたシートバックの概略部分正面図である。なお、以下の説明では、車両用シート１を搭載する車両が水平面上に置かれた場合を基準として、鉛直方向を上下方向と定義する。また、前後方向（ＦＲ，ＲＲ）は車両の前後方向に一致するように、左右方向（幅方向）は車両の幅方向に一致するように、定義される。ＦＲは車両の前側方向であり、ＲＲは車両の後側方向である。また、車両用シート１について、車両の進行方向の前側を見て右側（ＲＨ）、左側（ＬＨ）と呼んで説明する。
【００１２】
図１に示すように、車両用シート１は、人が着座するシートクッション２と、シートクッション２の後端に立設されたシートバック３と、シートバック３の上端部に設けられたヘッドレスト４とを備えている。
【００１３】
シートクッション２は、車両の床に取り付けられているが、前後方向に位置を調節可能に、あるいは高さの調節が可能状態にする機構を備えることができる。
【００１４】
シートバック３は、背もたれを構成する部分であり、下端部に設けられた回動軸（回動中心線、回動軸心）３Ａを中心として回動可能な状態で、シートクッション２に連結されている。すなわち、車両用シートには、シートバック３を後方へ傾斜させるリクライニング機能や、シートバック３を前方へ傾斜させる前倒機能が設けられ、シートバック３はシートクッション２に対して回動可能に構成される。なお、図１では、クッション材およびトリムカバーで覆われた回動軸３Ａを一点鎖線で示している。
【００１５】
ヘッドレスト４は、高さ位置を調節可能な状態で、シートバック３に取り付けられている。
【００１６】
シートクッション２、シートバック３およびヘッドレスト４は、内部に骨格部材となるフレームと発泡樹脂などからなるクッション材とが設けられ、クッション材の表面をトリムカバー（表皮材）で覆う構成である。
【００１７】
図２に示すように、ヘッドレスト４は、下方に延出された左右一対の部分を有するヘッドレストステー４１（後述する縦フレーム部４１ａ、４１ｂ）を有し、ヘッドレストステー４１をシートバック３の上部のヘッドレストホルダ３２に挿着することによりシートバック３に対して取り付けられている。
【００１８】
ヘッドレスト４の構造の概要について図３、４を用いて説明する。図３は図１のヘッドレストの外観を示す斜視図である。図４は図３のヘッドレストの内部構造を示す断面図である。
【００１９】
ヘッドレスト４はヘッドレストフレーム４０と、ヘッドレストフレーム４０に取り付けられるスピーカーユニット５０と、クッション材６０と、袋状の表皮材７０と、スピーカーグリルユニット８０Ｒ、８０Ｌと、を備える。クッション材６０はウレタン等からなる発砲体を表皮一体発砲成形により設けられる。スピーカー配線５３（スピーカー配線５３Ｒ、５３Ｌ）はシートバック３内に配策された車体側からくる配線と接続される。
【００２０】
次に、ヘッドレストフレーム４０の構造について図５、６を用いて説明する。図５は図２のヘッドレストフレームを示す斜視図である。図６は図５のヘッドレストフレームを示す分解斜視図である。
【００２１】
ヘッドレストフレーム４０は、ヘッドレストステー４１と、ヘッドレストサポートワイヤ４２、第一ブラケットであるヘッドレストブラケット４３と、第二ブラケットであるヘッドレストブラケット４４と、を備える。
【００２２】
ヘッドレストステー４１は金属製のパイプを曲げて形成され、略垂直方向に延びている左右一対の縦フレーム部４１ａ、４１ｂと、縦フレーム部４１ａ、４１ｂからそれぞれ略水平方向に延びている左右一対の横フレーム部４１ｃ、４１ｄと、横フレーム部４１ｃ、４１ｄから略垂直方向に延び、上部間が接続されている左右一対の縦フレーム部４１ｇ、４１ｈと、を有している。前述したように、縦フレーム部４１ａ、４１ｂは、シートバック３のバックフレームに左右に所定間隔をおいて支持された一対のヘッドレストホルダ３２のそれぞれに挿入される。横フレーム部４１ｃはスピーカー配線５３Ｌを挿入する孔４１ｅを有している。横フレーム部４１ｄもスピーカー配線５３Ｒを挿入する孔（不図示）を有している。
【００２３】
ヘッドレストサポートワイヤ４２は金属製のワイヤを曲げて形成され、略垂直方向に延びている左右一対の内側の縦ワイヤ部４２ａ、４２ｂと、縦ワイヤ部４２ａ、４２ｂにそれぞれ下部間が接続され、それぞれ略垂直方向に延び、上部間が接続されている左右一対の外側の縦ワイヤ部４２ｃ、４２ｄと、を有する。内側の縦ワイヤ部４２ａ、４２ｂはヘッドレストステー４１の縦フレーム部４１ｇ、４１ｈに固着され、外側の縦ワイヤ部４２ｃ、４２ｄは後述するメガフォン状の筒５４Ｒ、５４Ｌの突起部５４Ｒｅ、５４Ｌｅを係合する。
【００２４】
ヘッドレストブラケット４３はスピーカーユニット５０（スピーカーボックス５１）の前面を固定するためのものであり、締結材である螺子４５ａ、４５ｂを通すための孔４３ａ、４３ｂを有し、縦フレーム部４１ｇ、４１ｈに固着される。
【００２５】
ヘッドレストブラケット４４はスピーカーユニット５０（スピーカーボックス５１）の底面を固定するためのものであり、螺子４６ａ、４６ｂを通すための孔４４ａ、４４ｂを有し、横フレーム部４１ｃ、４１ｄに固着される。
【００２６】
次に、スピーカーユニット５０の構造について図３、７〜９を用いて説明する。図７は図４のスピーカーユニットを示す斜視図である。図８は図７のスピーカーユニットを示す分解斜視図である。図９は図４のカバー部を示す斜視図である。
【００２７】
図７、８に示すように、スピーカーユニット５０は、スピーカーボックス５１と、スピーカー５２Ｒ、５２Ｌと、スピーカー配線５３Ｒ、５３Ｌと、メガフォン状の筒５４Ｒ、５４Ｌと、を備えて構成される。スピーカーユニット５０には、図９に示すような、リング状の部材であるカバー部５５Ｒ、５５Ｌが取り付けられる。
【００２８】
スピーカーボックス（エンクロージャー）５１は、スピーカー５２Ｒを装着するスピーカーボックス５１Ｒと、スピーカー５２Ｌを装着するピーカーボックス５１Ｌと、スピーカーボックス５１Ｒとスピーカーボックス５１Ｌとの間に挿入される板状の部材５１Ｍと、を有して構成される。部材５１Ｍによってスピーカーボックス５１Ｒ、５１Ｌが仕切られる（分離される）。この構成によって、スピーカーボックス５１内には、スピーカー５２Ｒ、５２Ｌの背面に、左右に分離された空間が形成される。これらの空間は、音響効果上重要なアコースティックチャンバーとして機能し、スピーカー内蔵ヘッドレストの音質向上を図ることができる。
【００２９】
以下、スピーカーユニット５０の左側について説明するが、右側は左側とほぼ対象であり、左側と同様である。左側の要素の符号は数字の後にＬを付しており、それに対応する右側の要素の符号は数字の後にＲを付している。
【００３０】
スピーカーボックス５１Ｌはポリプロピレン等の合成樹脂製であり、ブラケット４３に螺子４５ａで固定するための螺子穴５１Ｌｃと、ブラケット４４に螺子４６ａで固定するための螺子穴５１Ｌｄと、スピーカー５２Ｌおよびメガフォン状の筒５４Ｌを螺子５６Ｌａ、５６Ｌｂで固定するための螺子穴５１Ｌａ、５１Ｌｂと、スピーカー５２Ｌを装着するための略円状の開口部５１Ｌｅと、を有する。なお、スピーカーボックス５１Ｒは螺子穴５１Ｒｃの位置を除いてスピーカーボックス５１Ｌと対象である。
【００３１】
スピーカー５２Ｌはスピーカーボックス５１Ｌに螺子５６Ｌａ、５６Ｌｂを通すための孔を有する取付け部５２Ｌａ、５２Ｌｂと、開口部５１Ｌｅよりも外側に位置するフランジ部５２Ｌｃと、を有する。
【００３２】
メガフォン状の筒５４Ｌはポリプロピレン等の合成樹脂製であり、スピーカー５２Ｌからの音をヘッドレスト４の側部に放射するようにする為のものであり、筒部５４Ｌａとフランジ部５４Ｌｂとを備える。筒部５４Ｌａは、外壁にスピーカーボックス５１Ｌに螺子５６Ｌａ、５６Ｌｂを通すための孔を有する取付け部５４Ｌｃ、５４Ｌｄと、ヘッドレストサポートワイヤ４２に係合するための突起部５４Ｌｅと、を有し、内壁にカバー部５５Ｌを取り付けるための凹み５４Ｌｆ有する。筒部５４Ｌａの基端部はスピーカー５２Ｌのフランジ部５２Ｌｃに当接できる大きさである。フランジ部５４Ｌｂは突起部５４Ｌｇを有する。突起部５４Ｌｅよりも先端側にはカバー部５５Ｌの筒部５５Ｌａが挿入されるが、筒部５５Ｌａの厚さ分だけ、先端側は外側にオフセットしている（筒部５４Ｌａの内径が大きくなっている）。メガフォン状の筒５４Ｌのカバー部５５Ｌ側の開口はスピーカー５２Ｌ側の開口よりも大きい。メガフォン状の筒５４Ｌのスピーカー５２Ｌ側の開口はスピーカーボックス５１Ｌの開口と同等の大きさである。
【００３３】
図９に示すように、カバー部５５Ｌはポリプロピレン等の合成樹脂製であり、メガフォン状の筒５４Ｌの開口内に挿入される筒部５５Ｌａと、表皮材７０を固定するためのフランジ部５５Ｌｂと、を有する。筒部５５Ｌａはメガフォン状の筒５４Ｌの凹み５４Ｌｆに挿入してカバー部５５Ｌを嵌合するための爪５５Ｌｃを６個有する。フランジ部５５Ｌｂはメガフォン状の筒５４Ｌのフランジ部５４Ｌｂの突起部５４Ｌｇが挿入される６個の孔５５Ｌｄと、スピーカーグリルユニット８０を固定するための３個の孔５５Ｌｅと、を有する。
【００３４】
次に、スピーカーグリルユニットの構造について図１０、１１を用いて説明する。図１０は図３のスピーカーグリルユニットを示す斜視図である。図１１は図１０の左側のスピーカーグリルユニットの分解斜視図である。以下、スピーカーグリルユニット８０の左側について説明するが、右側は左側と構造的に面対象であり、左側と同様である。
【００３５】
スピーカーグリルユニット８０Ｌは、スピーカーグリルトリム８１Ｌに、スピーカーグリル８２Ｌ、グリルスクリム８３Ｌおよびロゴプレート８４Ｌを備えて構成される。
【００３６】
スピーカーグリルトリム８１Ｌはポリプロピレン等の合成樹脂製であり、スピーカーグリル８２Ｌおよびグリルスクリム８３Ｌを取り付けるための８個の突起８１Ｌａと、スピーカーグリル８２Ｌを取り付けるための８個の孔８１Ｌｂと、を有する。スピーカーグリル８２Ｌはポリプロピレン等の合成樹脂製であり、カバー部５５Ｌの開口に合わせた蜂の巣状の開口を有する。スピーカーグリル８２Ｌはスピーカーグリルトリム８１Ｌの突起８１Ｌａが挿入される８個の孔８２Ｌａと、８箇所の位置８２Ｌｂの裏側に位置し、スピーカーグリルトリム８１Ｌの孔８１Ｌｂに挿入する８個の突起（不図示）と、３箇所の位置８２Ｌｃの裏側に位置し、カバー部５５Ｌの孔５５Ｌｅに挿入して嵌合するための３箇所の突起（不図示）と、ロゴプレート８４Ｌを取り付けるロゴプレート取付部８２Ｌｄと、を有する。グリルスクリム８３Ｌは黒色の目の粗い薄手の布（布帛）である。ロゴプレート８Ｌが位置する部分のグリルスクリム８３Ｌは取り除かれる。
【００３７】
スピーカーグリルトリム８１Ｌの突起８１Ｌａを裏側からスピーカーグリル８２Ｌの孔８２Ｌａに挿入し、スピーカーグリル８２Ｌの裏側の突起をスピーカーグリルトリム８１Ｌの孔８１Ｌｂに挿入して、スピーカーグリルトリム８１Ｌの外側（表側）からスピーカーグリル８２Ｌを取り付ける。さらに、スピーカーグリルトリム８１Ｌの突起８１Ｌａを裏側からグリルスクリム８３Ｌの孔８３Ｌａに挿入して超音波溶接等で固定する。スピーカーグリル８２Ｌの表側にグリルスクリム８３Ｌを取り付けて、グリルスクリム８３Ｌの開口からスピーカーグリル８２Ｌにロゴプレート８４Ｌを取り付ける。これにより、スピーカーグリルユニット８０Ｌが組み立てられる。
【００３８】
次に、表皮材について図１２を用いて説明する。図１２は図３のヘッドレストの製造方法を説明する斜視図である。表皮材７０は布や合成皮革、本革等から形成され、カバー部５５Ｒ、５５Ｌを取り付ける位置に開口７１Ｒ、７１Ｌを有し、袋状に縫製されている。なお、表皮材７０の下端には、スピーカーユニット５０等を挿入するための開口７０ａを有し、その開口はヘッドレストステー４１の縦フレーム部４１ａ、４１ｂが通る孔を除いて、表皮材を前後左右に重ねて折って塞がれる。すなわち、表皮材７０は、スピーカーユニット５０等が挿入された後、その開口７０ａを塞ぐ６つの延長部を有する。６つの延長部は、二つに分かれた右側延長部７０ｂと、二つに分かれた左側延長部７０ｃと、前側延長部７０ｄと、後側延長部７０ｅとであり、各延長部の開口７０ａ側端部と反対側の先端部分近傍には面ファスナー７０ｆ、７０ｇ、７０ｈ、７０ｉが取り付けられている。なお、面ファスナー７０ｇは左側延長部７０ｃの図面上における裏側に位置し、面ファスナー７０ｉは後側延長部７０ｅの図面上における裏側に位置する。これら面ファスナー７０ｆ、７０ｇによって、左側延長部７０ｂと右側延長部７０ｃとは互いに固定可能であり、面ファスナー７０ｈ、７０ｉによって、前側延長部７０ｄと後側延長部とも互いに固定可能である。
【００３９】
次に、ヘッドレスト４の製造方法について図３〜１３を用いて説明する。図１３は図３のヘッドレストの製造方法を説明するフローチャートである。
【００４０】
ヘッドレストステー４１に、ヘッドレストサポートワイヤ４２とヘッドレストブラケット４３とヘッドレストブラケット４４とを溶接等によって固着してヘッドレストフレーム４０を準備する（工程Ｓ１）。
【００４１】
カバー部５５Ｒ、５５Ｌを取り付ける位置に開口７１Ｒ、７１Ｌを有し、袋状に縫製した表皮材７０を準備する（工程Ｓ２）。
【００４２】
スピーカーユニット５０の準備（工程Ｓ３）について以下説明する。  
スピーカーボックス５１Ｒとスピーカーボックス５１Ｌとの間に部材５１Ｍを挿入して接着しスピーカーボックス５１を組み立てる。
【００４３】
スピーカー５２Ｌにスピーカー配線５３Ｌを取り付けて、スピーカー５２Ｌをスピーカーボックス５１Ｌの開口部５１Ｌｅに挿入すると共に、スピーカー配線５３Ｌを取り出す。
【００４４】
スピーカーボックス５１Ｌの螺子穴５１Ｌａにスピーカー５２Ｌの取付け部５２Ｌａの孔およびメガフォン状の筒５４Ｌの取付け部５４Ｌｃの孔を合わせて螺子５６Ｌａを挿入して締結する。スピーカーボックス５１Ｌの螺子穴５１Ｌｂにスピーカー５２Ｌの取付け部５２Ｌｂの孔およびメガフォン状の筒５４Ｌの取付け部５４Ｌｄの孔を合わせて螺子５６Ｌｂを挿入して締結する。よって、メガフォン状の筒５４Ｌとスピーカー５２Ｌとはスピーカーボックス５１Ｌに共締めされる。その際、スピーカー５２Ｌのフランジ部５２Ｌｃはスピーカーボックス５１Ｌとメガフォン状の筒５４Ｌの基端部に挟まれ固定される。スピーカー５２Ｒおよびメガフォン状の筒５４Ｒも同様に取り付けられる。
【００４５】
ステップＳ１で準備したヘッドレストフレームにステップＳ３で準備したスピーカーユニット５０を固定する工程（工程Ｓ４）について以下説明する。  
ヘッドレストフレーム４１のブラケット４３の孔４３ａとスピーカーボックス５１Ｌの螺子穴５１Ｌｃとを合せて螺子４５ａを挿入して締結し、ヘッドレストフレーム４１のブラケット４３の孔４３ｂとスピーカーボックス５１Ｒの螺子穴５１Ｒｃとを合せて螺子４５ｂを挿入して締結する。また、ヘッドレストフレーム４１のブラケット４４の孔４４ａとスピーカーボックス５１Ｌの螺子穴５１Ｌｄとを合せて螺子４６ａを挿入して締結し、ヘッドレストフレーム４１のブラケット４４の孔４４ｂとスピーカーボックス５１Ｒの螺子穴５１Ｒｄとを合せて螺子４６ｂを挿入して締結する。また、メガフォン状の筒５４Ｌの突起部５４Ｌｅはヘッドレストサポートワイヤ４２の外側の縦ワイヤ部４２ｃに係合し、メガフォン状の筒５４Ｒの突起部５４Ｒｅはヘッドレストサポートワイヤ４２の外側の縦ワイヤ部４２ｄに係合する。これにより、スピーカーユニット５０がヘッドレストフレーム４１に固定され取り付けられる。
【００４６】
袋状に縫製された表皮材７０の下面側に設けられた開口７０ａからスピーカーユニット５０を取り付けたヘッドレストフレーム４０を挿入する（工程Ｓ５）。このヘッドレストフレーム４０が挿入された状態では、ヘッドレストステー４１の縦フレーム部４１ａ、４１ｂは表皮材７０から突出している。
【００４７】
開口７０ａによって形成された孔を塞ぐ為に、右側延長部７０ｂおよび左側延長部で開口７０ａを覆い、そして両者を面ファスナー７０ｆ、７０ｇで互いに固定する。縦フレーム部４１ａ、４１ｂは、それぞれ２つの右側延長部７０ｂ、７０ｂと、左側延長部７０ｃ、７０ｃの間に位置する。さらに前側延長部７０ｄおよび後側延長部７０ｅで開口７０ａを覆い、そして両者を面ファスナー７０ｈ、７０ｉで互いに固定する。縦フレーム部４１ａ、４１ｂの間に、前側延長部７０ｄおよび後側延長部７０ｅは位置する。これら６つの延長部によって開口７０ａを塞ぐことによって、表皮材７０は完全な袋状になる。
【００４８】
メガフォン状の筒５４Ｌのフランジ部５４Ｌｂとカバー部５５Ｌのフランジ部５５Ｌｂとで表皮材７０の開口７１Ｌ側の端部全体を挟み込み、カバー部５５Ｌのフランジ部５５Ｌｂの孔５５Ｌｄにメガフォン状の筒５４Ｌのフランジ部５４Ｌｂの突起部５４Ｌｅを挿入して、表皮材７０を固定する（工程Ｓ６）。
【００４９】
上述したように、スピーカー５２Ｌとメガフォン状の筒５４Ｌはスピーカーボックス５１Ｌへ共締めされ相互密着され、同様に、スピーカー５２Ｒとメガフォン状の筒５４Ｒはスピーカーボックス５１Ｒへ共締めされ相互密着される。また、表皮材７０はメガフォン状の筒５４Ｌとカバー部５５Ｌによりサンドイッチ状に固定されて、表皮材７０と、メガフォン状の筒５４Ｌおよびカバー部５５Ｌとは相互に密着される。同様に、表皮材７０はメガフォン状の筒５４Ｒとカバー部５５Ｒによりサンドイッチ状に固定されて、表皮材７０と、メガフォン状の筒５４Ｒおよびカバー部５５Ｒとは相互に密着される。これにより、スピーカーを内蔵しないヘッドレストと同程度の密閉性を有する袋状の表皮材を形成する。
【００５０】
表皮一体発泡成形（工程Ｓ７）について以下説明する。  
成形金型（不図示）に、ヘッドレストフレーム４０（ヘッドレストステー４１の一部を除く）およびスピーカーユニット５０（スピーカー５２Ｒ、５２Ｌ、スピーカーボックス５１、メガフォン状の筒５４Ｒ、５４Ｌ）が包含された袋状の表皮材７０を取り付ける。そして、例えば、表皮材７０の下面側（表皮材７０から突出しているヘッドレストステー４１の縦フレーム部４１ａ、４１ｂ）を上にして、注入ノズル（不図示）を上から表皮材７０の前側延長部７０ｄおよび後側延長部７０ｅに形成された孔（不図示）に差し込み、注入機（不図示）からウレタン材等の発泡原料を注入し発泡させてクッション材６０を形成する。すなわち、表皮一体発泡成形によって、ヘッドレストフォームを形成する。
【００５１】
その後、カバー部５５Ｌの３箇所の孔５５Ｌｅにスピーカーグリルユニット８０Ｌの裏側の３箇所の突起を挿入して嵌合してスピーカーグリルユニット８０Ｌを取り付ける（工程Ｓ８）。同様に、カバー部５５Ｒにスピーカーグリルユニット８０Ｒを取り付けて、ヘッドレスト４を製造する。
【００５２】
図３に示すように、ヘッドレスト４は、前側および後側は表皮材７０で覆われ、左右側は表皮材７０およびスピーカーグリルユニット８０Ｒ、８０Ｌで覆われている。すなわち、スピーカーグリルユニット８０Ｒ、８０Ｌはヘッドレスト４の側部の一部を形成している。ヘッドレスト４は、断面視で、前部は凹んでおり、後部および側部が凸んでいる。ヘッドレスト４の前部の凹んだ位置の表皮材７０に着座者の後頭部が当接する。メガフォン状の筒５４Ｒ、５４Ｌよりも前側に位置するクッション材６０および表皮材７０がある。
【００５３】
スピーカー５２Ｒ、５２Ｌは、それぞれ、前方よりも、ヘッドレスト４の中心に対して外方向に向いた姿勢で取り付けられる。本実施形態では、スピーカー５２Ｒ、５２Ｌは、前方に対して約４５度それぞれ外方に向いた姿勢で配置されている。メガフォン状の筒５４Ｒ、５４Ｌはスピーカー５２Ｒ、５２Ｌよりも大きく外方向に向いた姿勢で配置されている。メガフォン状の筒５４Ｒ、５４Ｌはそれぞれ前側が後側よりも長い。スピーカー５２Ｒ、５２Ｌはスピーカーボックス５１Ｒ、５１Ｌよりも外方に出ている部分がある。スピーカーボックス５１の一番前側に位置する箇所よりも前側にクッション材６０が位置し、さらにそこに表皮材７０が位置する。スピーカーボックス５１の前側とヘッドレスト４の前側の表皮材７０との距離はスピーカーボックス５１の後側とヘッドレスト４の後側の表皮材７０との距離よりも大きい。言い換えると、スピーカーボックス５１の前側のクッション材７０の厚さは後側のクッション材７０の厚さよりも厚い。
【００５４】
表皮一体発泡成形は、基本的に、袋状の表皮材にウレタン材を注入し発泡させて作られるため、密閉性（気密性）が必要である。本実施形態では、表皮材はスピーカーからの音を遮らないようにする為のメガフォン形状の筒部とカバー部とによりサンドイッチ状に固定され相互密着される。また、スピーカーとメガフォン状の筒はスピーカーボックスへ共締めされ、メガフォン状の筒がスピーカーボックスに固定されることによって、スピーカーはスピーカーボックスに対して密着性を有して固定されるので、スピーカーボックスとスピーカーとの間に隙間を生じることがなく、一体発泡成形時のスピーカーボックス（エンクロージャー）の気密性を保つことができる。このようにメガフォン状の筒は、表皮の外部に対する気密性とスピーカーボックスの内部に対する気密性の両方の効果に寄与する。
【００５５】
これにより、袋状の表皮材が形成されて密閉性を確保することができ、表皮一体発泡成形が可能となる。別工程での表皮材の取付けが不要となるので、外観においてもシンプルな構造が可能となる。
【００５６】
以上、本発明者によってなされた発明を実施の形態に基づき具体的に説明したが、本発明は、上記実施の形態に限定されるものではなく、種々変更可能であることはいうまでもない。
【００５７】
例えば、実施形態では、スピーカーグリルを取り付けるためにカバー部に丸い孔を３箇所に設けた例を説明したが、これに限定されるものではなく、矩形状の孔を２箇所に設けてもよい。この場合、スピーカーグリルの裏側に矩形状の孔に嵌合する突起を２箇所に設ける。
【００５８】
また、実施形態では、メガフォン状の筒５４Ｌのフランジ部５４Ｌｂに突起部５４Ｌｇを有し、カバー部５５Ｌのフランジ部５５Ｌｂに孔５５Ｌｄ有する例を説明したが、これに限定されるものではなく、係合部を構成する突起部５４Ｌｇおよび孔５５Ｌｄはなくてもよいし、突起部５４Ｌｇの代わりに孔を有し孔５５Ｌｄの代わりに突起部を有してもよい。
【００５９】
また、実施形態では、スピーカーユニット５０をヘッドレストフレーム４０の後側に配置しているが、ヘッドレストの全体形状が違う場合には、スピーカーユニット５０をヘッドレストフレーム４０の前側に配置するようにしてもよい。
【符号の説明】
【００６０】
４・・・ヘッドレスト
４０・・・ヘッドレストフレーム
５０・・・スピーカーユニット
５１・・・スピーカーボックス
５２Ｒ，５２Ｌ・・・スピーカー
５４Ｒ，５４Ｌ・・・メガフォン状の筒
５５Ｒ，５５Ｌ・・・カバー部
６０・・・クッション材
７０・・・表皮材
【図１】
2019108118.tif 000003
【図２】
2019108118.tif 000004
【図３】
2019108118.tif 000005
【図４】
2019108118.tif 000006
【図５】
2019108118.tif 000007
【図６】
2019108118.tif 000008
【図７】
2019108118.tif 000009
【図８】
2019108118.tif 000010
【図９】
2019108118.tif 000011
【図１０】
2019108118.tif 000012
【図１１】
2019108118.tif 000013
【図１２】
2019108118.tif 000014
【図１３】
2019108118.tif 000015